(57)【要約】【課題】巻真パイプ周りのメンテナンスに優れた携帯時計を提供する。【解決手段】胴１３のパイプ取付け孔１７に取外し可能にねじ込まれた巻真パイプ２１を備え、胴１３の外部に配置された巻真パイプ２１のパイプ端部２３に、竜頭３１の竜頭ヘッド３２を被せるようにねじ込んで、この竜頭３１の不用意な回転を妨げることが可能な携帯時計１０を前提とする。パイプ取付け孔１７と、この孔１７にねじ込まれる巻真パイプ２１の挿入部２２との内の一方にリング受け部１７ａを設け、他方に軟質でかつ弾性を有する摩擦リング２９を支持する。この摩擦リング２９はリング受け部１７ａに弾性的に密接して巻真パイプ２１を回り止めする。これにより、竜頭操作に伴う巻真パイプ２１の不用意な回転を妨げるとともに、メンテナンスにおいて巻真パイプ２１を胴１３に対して着脱できるようにしたことを特徴としている。【選択図】    図２
2005030765.tif 000002
【特許請求の範囲】
【請求項１】
雌ねじ部を有するパイプ取付け孔が設けられた胴と、
前記雌ねじ部に取外し可能に螺合される第１雄ねじ部が設けられた挿入部、及び第２雄ねじ部を有して前記胴の外部に配置されるパイプ端部を備え、前記挿入部が前記パイプ取付け孔にねじ込まれて前記胴に取付けられた巻真パイプと、
前記第２雄ねじ部に取外し可能に螺合する雌ねじ部が形成された竜頭ヘッドを有して前記巻真パイプに取付けられた竜頭と、
前記パイプ取付け孔及び前記挿入部の内の一方に支持されるとともに、他方に設けられたリング受け部に弾性的に密接して前記巻真パイプを回り止めする軟質でかつ弾性を有した摩擦リングと、
を具備している携帯時計。
【請求項２】
請求項１に記載の携帯時計において、前記リング受け部及び前記摩擦リングが、前記胴の雌ねじ部と前記第１雄ねじ部との螺合部よりも前記胴の胴内空間に寄って配置されている。
【請求項３】
請求項１又は２に記載の携帯時計において、前記摩擦リングがその内周を前記挿入部に設けた環状溝に嵌合して支持されているとともに、前記リング受け部が前記パイプ取付け孔に設けられている。
【請求項４】
請求項１から３の内のいずれか１項に記載の携帯時計において、前記胴の雌ねじ部と前記第１雄ねじ部との螺合部よりも前記竜頭ヘッドに寄ってリング状の防水パッキンが設けられている。
【請求項５】
請求項１又は２に記載の携帯時計において、前記摩擦リングが一端に環状の鍔を有し、前記パイプ取付け孔に、環状段部及びこの段部に連なる小径孔部からなる胴側リング挟み部を設け、前記挿入部に、前記摩擦リングの鍔以外のリング状部分を前記小径孔部との間に挟む円形周壁及びこの周壁に連なり前記鍔を前記環状段部との間に挟む他の環状段部からなるパイプ側リング挟み部を設け、前記両リング挟み部間に前記摩擦リングが挟まれている。
【請求項６】
請求項１に記載の携帯時計において、前記リング受け部及び前記摩擦リングが、前記胴の雌ねじ部と前記第１雄ねじ部との螺合部よりも前記竜頭ヘッドに寄って配置されて防水パッキンを兼ねている。
【発明の詳細な説明】
【０００１】
【発明の属する技術分野】
本発明は、竜頭が不用意に回転されないように保持する構造を備えた携帯時計に関する。
【０００２】
【従来の技術】
例えばダイバーズウォッチ等の携帯時計では、その携帯時に竜頭が不用意に回転されないように、ねじの噛合いを利用して竜頭をロックする構造（この構造を本明細書ではねじロック又はねじロック構造と称する。）が採用されている。
【０００３】
ねじロック構造は、時計ムーブメントが内蔵された胴に取付けた巻真パイプの胴外に突出したパイプ端部の外周に雄ねじ部を形成し、この雄ねじ部に、前記パイプ端部に被嵌する竜頭の竜頭ヘッドの雌ねじ部を螺合する構造である。これにより、通常時には、竜頭ヘッドを巻真パイプのパイプ端部の外周にねじ込んで竜頭をねじロックできる。又、時計ムーブメントを操作する時には、雄ねじ部に対する竜頭ヘッドのねじ込みを外してから、竜頭を引き動かした状態にして、巻真パイプの内側に配置されている巻真を回転操作できる。
【０００４】
このようなねじロック構造を備えた従来の携帯時計では、一般に、胴に対して巻真パイプをろう付けすることにより、巻真パイプ取付け部の防水を図っている（例えば特許文献１参照。）。
【０００５】
この他に、竜頭が螺合される雄ねじ部とは別の雄ねじ部を巻真パイプに設けて、この別の雄ねじ部を胴のパイプ取付け孔にねじ込むとともに、このねじ込みに伴い胴と竜頭ヘッドとの間に防水パッキンを挟み込んで、巻真パイプ取付け部の防水を図った携帯時計も知られている。
【０００６】
【特許文献１】
特開昭５７−４６１８１号公報（第１頁右欄第８行−第２頁左欄第７行、第１図−第２図）
【０００７】
【発明が解決しようとする課題】
ねじロック構造を備える携帯時計では、落下に伴う衝撃や竜頭が繰返し回転操作されること等により、互いに螺合する竜頭の雌ねじ部と巻真パイプの雄ねじ部とが摩耗したり、削れたりして、ねじロックの機能が低下することがある。
【０００８】
このような事態に至った場合、胴に巻真パイプがろう付けされている特許文献１の携帯時計では、巻真パイプの胴からの取外しを伴う竜頭回りの部品交換ができない。それにより、胴を含めた時計外装組立の交換を余儀なくされている。
【０００９】
胴に巻真パイプをねじ込んだ時計では、原理的には巻真パイプを含めた竜頭周りの部品交換が可能であると考えられている。しかし、この構成では、竜頭を巻真パイプに螺合させたり、この螺合を外したりするたびに、巻真パイプには回転力が作用する。それに伴って胴に対する巻真パイプのねじ込みが緩んで、防水パッキンによる防水性が低下するおそれがある。
【００１０】
この対策として、巻真パイプと胴との螺合部に接着剤を充填することが行われることがある。このように接着止めされる場合には、接着剤の量の管理が困難であるので、実際上は巻真パイプを胴から取外すことが困難となる場合が多く、竜頭回りの部品交換ができなくなる。それにより、ねじロック機能が低下した場合に、胴を含めた時計外装組立の交換を余儀なくされている。
【００１１】
本発明が解決しようとする課題は、ねじロック機能が低下した場合に竜頭周りの部品交換を可能とした携帯時計を提供することにある。
【００１２】
【課題を解決するための手段】
前記課題を解決するために、本発明は、雌ねじ部を有するパイプ取付け孔が設けられた胴と、前記雌ねじ部に取外し可能に螺合される第１雄ねじ部が設けられた挿入部、及び第２雄ねじ部を有して前記胴の外部に配置されるパイプ端部を備え、前記挿入部が前記パイプ取付け孔にねじ込まれて前記胴に取付けられた巻真パイプと、前記第２雄ねじ部に取外し可能に螺合する雌ねじ部が形成された竜頭ヘッドを有して前記巻真パイプに取付けられた竜頭と、前記パイプ取付け孔及び前記挿入部の内の一方に支持されるとともに、他方に設けられたリング受け部に弾性的に密接して前記巻真パイプを回り止めする軟質でかつ弾性を有した摩擦リングと、を具備している。
【００１３】
本発明で、胴及び巻真パイプは金属例えばステンレス鋼等の材料で好適に作ることができるが、これに制約されず合成樹脂製とすることも可能である。本発明で、摩擦リングは挿入部に支持することができ、この場合にリング受け部はパイプ取付け孔で形成できるとともに、この逆に、摩擦リングをパイプ取付け孔に支持することもでき、この場合にリング受け部は挿入部の外周面で形成できる。本発明で、摩擦リングの材料としては、天然ゴム、合成ゴム、合成樹脂のいずれでも使用可能である。この中でも例えばポロプロピレンなどの合成樹脂を使用することは、水分やオゾン等に対して劣化し難く、耐候性に優れる点で好ましい。本発明で、摩擦リングを、単一の材料で成形することは、成形が容易で低コスト化を図り易い点で好ましい。しかし、例えば強度や弾性力が異なる複数の材料を積層する等複合させて摩擦リングを作ることも可能である。或いは、リング受け部及び挿入部に接する部分が少なくとも軟質でかつ弾性を有した層となっていれば、補強等のために弾性変形可能なリング状の金属線等を内蔵していてもよい。
【００１４】
本発明では、胴のパイプ取付け孔と、この孔にねじ込んで取付けられている巻真パイプの挿入部との間に摩擦リングを圧縮して挟んでいて、この摩擦リングが挿入部及びリング受け部に弾性的に密接して、その摩擦力で胴に対して巻真パイプが回らないように保持している。これにより、接着剤を用いて胴に巻真パイプを接着止めすることなく、竜頭操作等に伴って巻真パイプが回転されることを抑制できる。そして、摩擦リングの摩擦力に勝る力で巻真パイプを緩む方向に回転操作することにより、このパイプを胴から抜き出すことができる。これにより、時計外装全体の交換を余儀なくされることなく巻真パイプ等の部品交換が可能である。
【００１５】
本発明の好ましい形態では、前記リング受け部及び前記摩擦リングが、前記胴の雌ねじ部と前記第１雄ねじ部との螺合部よりも前記胴の胴内空間に寄って配置されているので、摩擦リングがオゾンや水分に晒されることを前記螺合部で抑制可能である。
【００１６】
本発明の好ましい形態では、前記摩擦リングがその内周を前記挿入部に設けた環状溝に嵌合して支持されているとともに、前記リング受け部が前記パイプ取付け孔に設けられているので、組立てに際して、挿入部に摩擦リングを保持して巻真パイプ周りを組立て可能であるとともに、組立て時に摩擦リングの使用の有無を容易に目視確認することが可能である。
【００１７】
本発明の好ましい形態では、前記胴の雌ねじ部と前記第１雄ねじ部との螺合部よりも前記竜頭ヘッドに寄ってリング状の防水パッキンが設けられているので、摩擦リングがオゾンや水分に晒されることを防水パッキンで抑制可能であるとともに、必ずしも摩擦リングが防水機能を担わなくてもよくなる。
【００１８】
本発明の好ましい形態では、前記摩擦リングが一端に環状の鍔を有し、前記パイプ取付け孔に、環状段部及びこの段部に連なる小径孔部からなる胴側リング挟み部を設け、前記挿入部に、前記摩擦リングの鍔以外のリング状部分を前記小径孔部との間に挟む円形周壁及びこの周壁に連なり前記鍔を前記環状段部との間に挟む他の環状段部からなるパイプ側リング挟み部を設け、前記両リング挟み部間に前記摩擦リングが挟まれているので、摩擦リングの鍔に相当する分摩擦を得るためのの接触面積が増やされるとともに、鍔回りでの防水性能も得ることも可能である。
【００１９】
本発明の好ましい形態では、前記リング受け部及び前記摩擦リングが、前記胴の雌ねじ部と前記第１雄ねじ部との螺合部よりも前記竜頭ヘッドに寄って配置されて防水パッキンを兼ねているので、巻真パイプとパイプ取付け孔との間の防水をするための防水パッキンを特別に要しない。
【００２０】
【発明の実施の形態】
以下、図１〜図３を参照して本発明の第１実施形態を説明する。
【００２１】
図１中符号１０は携帯時計としての腕時計を示しており、この腕時計１０は時計外装組立１１内に文字板１２及び図示しない時計ムーブメント等を収容している。時計ムーブメントは、小型電池やぜんまいを動力にしたもの、又は自動巻きのもの、若しくはクォーツ発振モジュールにより文字板１２上で時刻等をデジタル表示するデジタル時計対応のもの、或いはデジタル時計対応のものとそれ以外のものとを併用したもの等のいずれであってもよい。
【００２２】
図２に示すように時計外装組立１１は、環状をなす金属製の胴１３の厚み方向一面に、カバーガラス１４を液密に装着するとともに、胴１３の厚み方向他面に、金属等からなる裏蓋１５を液密に螺着して形成されている。カバーガラス１４を通して文字板１２は視認可能である。裏蓋１５は取外し可能である。
【００２３】
図２に示すように胴１３の一部には、この胴１３を径方向に貫通する断面円形の段月孔からなるパイプ取付け孔１７が開けられている。パイプ取付け孔１７の一端は、胴１３の胴内空間１１ｃに開口され、パイプ取付け孔１７の他端は、胴外側、つまり時計外装組立１１の外部に開口されている。
【００２４】
パイプ取付け孔１７は、リング受け部１７ａと、雌ねじ部１７ｂと、パッキン収容部１７ｃとから形成されている。リング受け部１７ａは、例えばパイプ取付け孔１７の最小孔径部分をなしているとともに、胴１３の胴内面１３ａに開口している。胴内面１３ａは胴内空間１１ｃに臨んでいる。雌ねじ部１７ｂは、環状の段部１７ｄをリング受け部１７ａとの間に設けて胴１３の胴外面１３ｂ寄りに形成されている。この雌ねじ部１７ｂの内径は、リング受け部１７ａの径よりも大きい。パッキン収容部１７ｃは、後述の竜頭ヘッド３２に寄せて雌ねじ部１７ｂに連続して形成されていて、胴１３の胴外面１３ｂに開口している。このパッキン収容部１７ｃは雌ねじ部１７ｂの谷径より大きい。こうしたパイプ取付け孔１７の孔構造では、雌ねじ部１７ｂがリング受け部１７ａとパッキン収容部１７ｃとの間に設けられている。
【００２５】
時計外装組立１１の胴１３には、パイプ取付け孔１７に挿入される巻真パイプ２１が、胴外側から出し入れ可能に取付けられている。巻真パイプ２１は、金属製、例えばステンレス鋼製であって、図２及び図３（Ａ）（Ｂ）に示すように挿入部２２とパイプ端部２３とを備えている。
【００２６】
挿入部２２の先端部寄り部分は、リング受け部１７ａの孔径より僅かに小径で、リング受け部１７ａ内に挿入される部分である。この先端部寄り部分の外周には、環状溝２４が設けられているとともに、リング受け部１７ａ内への挿入を容易にするために先細状のテーパ２２ａが挿入部２２の環状溝２４よりも先端部側に形成されている。挿入部２２の根元寄り、つまり、パイプ端部２３寄りには、第１雄ねじ部２５が設けられている。この第１雄ねじ部２５は雌ねじ部１７ｂに螺合される部分である。したがって、巻真パイプ２１はその挿入部２２をパイプ取付け孔１７にねじ込むことにより、胴１３に挿入して取付けられている。
【００２７】
パイプ端部２３は、挿入部２２より大径であって、胴１３の外部に配置される部分であり、その挿入部２２寄りの端面２３ａは、胴外面１３ｂに接するようになっている。この端面２３ａはパッキン収容部１７ｃを閉じることができる大きさに形成されている。端面２３ａは、胴外面１３ｂに接して胴１３に対する巻真パイプ２１のねじ込み深さ（挿入深さ）を規制する。
【００２８】
パイプ端部２３の外周には第２雄ねじ部２６が設けられている。パイプ端部２３の他端部、つまり、第２雄ねじ部２６を間に置いて挿入部２２とは反対側の部分は、第２雄ねじ部２６より小径となっており、この部分には複数の切欠き溝２７が設けられている。これらの切欠き溝２７には、図示しない工具が係脱される。切欠き溝２７に係合された工具を介して巻真パイプ２１を回転操作することができる。この操作により、雌ねじ部１７ｂに第１雄ねじ部２５を螺合させて巻真パイプ２１をパイプ取付け孔１７にねじ込んだり、この逆に前記螺合を解除して巻真パイプ２１をパイプ取付け孔１７から抜き出すことが可能である。
【００２９】
挿入部２２の環状溝２４には軟質でかつ弾性を有した摩擦リング２９が嵌合して支持されている。支持された摩擦リング２９は自らが縮径しようとする弾性力によって巻締め状態となっている。このため、摩擦リング２９の内周が環状溝２４に密接している。摩擦リング２９の外径は、その外周がリング受け部１７ａに弾性的に密接されるようにリング受け部１７ａの孔径よりも大きい。
【００３０】
摩擦リング２９はその肉厚以上の幅を有して断面が矩形状をなしている。この摩擦リング２９の幅は、少なくとも０．５ｍｍあればよいが、パイプ取付け孔１７の長さ及び雌ねじ部１７ｂの長さとの兼ね合いで、許容される限り長い幅とすることが、摩擦のための面積をより大きく確保できる点で好ましい。
【００３１】
この摩擦リング２９は、その摩擦力で巻真パイプ２１の回転を抑制する機能を発揮するものであって、ゴム材料のように体積変化を伴って弾性変形をする軟質な弾性材料で形成されている。この摩擦リング２９は、水分やオゾン等に対して安定性のある耐候性の弾性材料、例えばポリプロピレン等の合成樹脂で好適に作ることができるが、天然ゴム製とすることも可能である。
【００３２】
胴１３のパッキン収容部１７ｃには防水パッキン３０が収容されている。この防水パッキン３０は弾性可能なゴムでリング形に形成されている。
【００３３】
摩擦リング２９が装着された挿入部２２を、既述のようにパイプ取付け孔１７に胴外側からねじ込むことによって、摩擦リング２９とリング受け部１７ａとの径差に応じて摩擦リング２９が圧縮される弾性変形を伴って、この摩擦リング２９がリング受け部１７ａと挿入部２２との間に挟まれて、摩擦リング２９の外周がリング受け部１７ａに弾性的に密接される。そして、挿入部２２のねじ込みの最終段階では、パイプ端部２３の端面２３ａが、防水パッキン３０を厚み方向に押し潰して胴外面１３ｂに接触される。
【００３４】
このような胴１３への巻真パイプ２１のねじ込みでは、雌ねじ部１７ｂに対する第１雄ねじ部２５の噛合いがある程度進んだ後に、摩擦リング２９がリング受け部１７ａに圧入気味に挿入されて、前記ねじ込みが更に進行する。このため前記摩擦リング２９の弾性変形が雌ねじ部１７ｂと第１雄ねじ部２５との噛合い開始の支障となることがない。図２中符号Ｑは摩擦リング２９の圧縮代（締め代）を示しており、この圧縮代Ｑは挿入部２２、パイプ取付け孔１７、及び摩擦リング２９の寸法精度によって容易に管理できる。
【００３５】
巻真パイプ２１が胴１３に取付けられた状態は図２に示されている。この取付け状態では、リング受け部１７ａに密接した摩擦リング２９は、胴内空間１１ｃに寄せて配置され、雌ねじ部１７ｂとこれに螺合された第１雄ねじ部２５との螺合部が、摩擦リング２９よりも胴外面１３ｂに寄せて設けられ、更に、この螺合部よりも胴外面１３ｂに寄せて防水パッキン３０が配置されている。
【００３６】
このため、摩擦リング２９は、胴１３の外部に対して防水パッキン３０と、前記螺合部とで夫々遮断されていて、摩擦リング２９が水やオゾンに晒されることを二重に抑制できる。これにより、例えば、摩擦リング２９が天然ゴム製であってもその劣化が有効に抑制されて、摩擦リング２９の耐久性が向上されるので、所定の性能を長期間にわたり維持可能である。しかも、摩擦リング２９が必ずしも防水機能を担わなくてもよいので、摩擦リング２９の材料の選択肢を広げることも可能である。
【００３７】
こうした利点は、防水パッキン３０を省略して実施する場合でも、前記螺合部での１重の遮断によって得ることが可能である。しかし、以上のように防水パッキン３０を併用する構成では、防水性能がより優れた仕様の携帯時計を得ることができる。
【００３８】
胴１３への巻真パイプ２１の前記取付けは、既述のように挿入部２２の外周に摩擦リング２９を保持して実施されるので、パイプ取付け孔１７への摩擦リング２９の取付けと、挿入部２２のねじ込みとを別々に行う手間を要することがなく、１度に行える。更に、単品の摩擦リング２９を取扱う場合のように、このリング２９が不用意に脱落する恐れもない。したがって、胴１３への巻真パイプ２１の前記取付け作業性がよい。しかも、組立て時に摩擦リング２９の使用の有無を容易に目視確認できる。このため、誤って摩擦リング２９を取付けないで、胴１３に巻真パイプ２１が取付けられることも防止可能である。また、摩擦リング２９を保持する環状溝２４は孔の内周に加工するよりも軸の外周に加工する方が加工し易いので、加工コストを低減できる点でも優れている。
【００３９】
雌ねじ部１７ｂの内径は摩擦リング２９の外径より大きいので、巻真パイプ２１の胴１３へのねじ込みに伴って、摩擦リング２９の外周部が雌ねじ部１７ｂと干渉して傷付くことが抑制される。このため、摩擦リング２９の弾性反発力によるリング受け部１７ａへの密接により、最終的な防水個所での防水性を保証し易い。
【００４０】
図１及び図２中符号３１で示す竜頭は、金属製であって、竜頭ヘッド３２と、この中央部から軸方向に一体に延びる竜頭軸部３３とを有している。竜頭ヘッド３２には、竜頭軸部３３の根元側部分を囲む環状の逃げ溝３４が設けられている。逃げ溝３４はパイプ端部２３を収容する部分であリ、この逃げ溝３４の内周にはねじロックのための雌ねじ部３５が形成されている。雌ねじ部３５は、パイプ端部２３の第２雄ねじ部２６に取外し可能に螺合される。
【００４１】
竜頭軸部３３は胴外側から巻真パイプ２１に挿入されている。竜頭軸部３３には胴内側から時計ムーブメントの巻真３６が連結されている。図２中符号３７は竜頭軸部３３に収容されて巻真３６を付勢するコイルばねを示している。
【００４２】
図２中符号３８はパイプ端部２３の凹部に収容された環状のゴム製防水パッキンを示し、符号３９は竜頭軸部３３の根元部に嵌合された押えリングを示している。竜頭ヘッド３２をパイプ端部２３に被るようにねじ込むことに伴って、押えリング３９が防水パッキン３８を圧縮状態に弾性変形させるから、これにより、巻真パイプ２１の内周と竜頭軸部３３の外周との間が防水されている。
【００４３】
以上の構成を備えた携帯腕時計１０において、巻真３６を操作するには、まず、竜頭３１を緩み方向に回転させて、その雌ねじ部３５を巻真パイプ２１の第２雄ねじ部２６から外した状態とする。次に、この状態で、竜頭３１を所定の引出し状態として、その位置で回転させることにより、時計ムーブメントを操作して時刻合わせ等の調整を行うことができる。
【００４４】
この調整後には、竜頭３１を押し戻した状態とした上で、その竜頭ヘッド３２がパイプ端部２３に被るように雌ねじ部３５を第２雄ねじ部２６にねじ込む。これにより、竜頭ヘッド３２がパイプ端部２３に被った状態に竜頭３１が保持され、この竜頭３１が腕時計１０の携帯時に不用意に回転されないようにねじロックできる。
【００４５】
この巻真操作においては、第２雄ねじ部２６に竜頭３１の雌ねじ部３５が着脱されるに伴って巻真パイプ２１にはこれを回転させようとする力が作用する。しかし、巻真パイプ２１の挿入部２２とパイプ取付け孔１７のリング受け部１７ａとの間に挟まれている摩擦リング２９が、その弾性反発力で挿入部２２及びリング受け部１７ａの両者に密接して、所定の摩擦力を与えている。このため、この摩擦力による抵抗で、巻真パイプ２１が不用意に回転することを抑制できる。これに伴って、巻真パイプ２１の不用意な回転防止のために接着材を用いて巻真パイプ２１を胴１３に固定する必要がない。
【００４６】
このため、腕時計１０をメンテナンスする場合には、その竜頭３１を既知の方法で外した後に、既述のように巻真パイプ２１を緩み方向に回転させることにより、この巻真パイプ２１の第１雄ねじ部２５と胴１３の雌ねじ部１７ｂとの噛合いを外して、巻真パイプ２１をパイプ取付け孔１７から取り出すことが可能である。
【００４７】
したがって、巻真パイプ２１の交換が必要な場合には、巻真パイプ２１を単独に交換可能である。これにより、修理の依頼者にとっては、胴１３等を含めた時計外装組立１１の交換を余儀なくされることなく、部品交換で対応することが可能となるので、費用負担を少なくできる。
【００４８】
なお、巻真パイプ２１の交換を伴うか否かに拘らず、メンテナンスにおいて胴外面１３ｂをバフ研摩等により磨いて胴１３をきれいにする場合に、巻真パイプ２１を取外して、このパイプ２１が磨き作業の邪魔にならない状態で行うことが可能である。このため、磨き作業がし易く、かつ、胴外面１３ｂを確実に磨くことができる。
【００４９】
次に、本発明の第２〜第５の実施形態を説明する。これらの実施形態は、基本的には第１実施形態と同じであるので、同じ部分については第１実施形態と同一符号を付してその説明を省略し、以下、第１実施形態とは異なる部分について説明する。
【００５０】
図４は本発明の第２実施形態を示している。この実施形態は、第１実施形態で使用した防水パッキンを省略した点以外は図４に示されない構成を含めて第１実施形態と同じである。
【００５１】
したがって、この第２実施形態の腕時計１０でも、竜頭３１の回転操作に伴い巻真パイプ２１が不用意に回転することを、巻真パイプ２１の挿入部２２とリング受け部１７ａを有したパイプ取付け孔１７との間に挟まれている摩擦リング２９で抑制し、この回転抑制のために巻真パイプ２１を胴１３に接着剤で接着する必要がない。このため、本発明が解決しようとする課題を解決できる。しかも、部品点数を削減できるとともに、高い防水性を要求されない日常生活防水型の腕時計１０として好適に実施できる。
【００５２】
図５は本発明の第３実施形態を示している。この実施形態では、第１実施形態のリング受け部１７ａに代えて、パイプ取付け孔１７に、胴内空間１１ｃに寄せてリング取付け孔部１７ｅ及び環状段部１７ｆを設けている。リング取付け孔部１７ｅの孔径は雌ねじ部１７ｂの内径と同じかそれより小さい。このリング取付け孔部１７ｅには摩擦リング２９の外周が支持されている。環状段部１７ｆは、リング取付け孔部１７ｅの胴内空間１１ｃ側に連続していて、その孔径は、リング取付け孔部１７ｅの孔径より小さい。この環状段部１７ｆは、摩擦リング２９が胴内空間１１ｃに押し込まれることを防止するストッパ壁として機能するように設けられている。又、挿入部２２の第１雄ねじ部２５より先端側部分の外周は、摩擦リング２９の内周が弾性的に密接するリング受け部２２ｄとして用いられている。
【００５３】
この第３実施形態では、摩擦リング２９をパイプ取付け孔１７に支持するとともに、リング受け部２２ｄが挿入部２２に設けられているので、挿入部２２がリング取付け孔１７にねじ込まれるに伴って、摩擦リング２９が圧縮状態に弾性変形されてその内周がリング受け部２２ｄに密接される。なお、以上説明した点以外は図３に示されない構成を含めて第１実施形態と同じである。
【００５４】
したがって、第３実施形態の腕時計１０でも、竜頭３１の回転操作に伴い巻真パイプ２１が不用意に回転することを、巻真パイプ２１のリング受け部２２ｄを有した挿入部２２とパイプ取付け孔１７との間に挟まれている摩擦リング２９で抑制し、この回転抑制のために巻真パイプ２１を胴１３に接着剤で接着する必要がない。このため、本発明が解決しようとする課題を解決できる。
【００５５】
図６は本発明の第４実施形態を示している。この実施形態では、第１実施形態のリング受け部１７ａと環状の段部１７ｄとが直角をなして連続されていて、これらが胴側リング挟み部１７ｇをなしている。挿入部２２にはパイプ側リング挟み部２２ｅが設けられている。このパイプ側リング挟み部２２ｅは、リング受け部１７ａに対応する円形周部２２ｂと、これに直角に連続して前記段部１７ｄに対応する環状の段部２２ｃとから形成されている。
【００５６】
摩擦リング２９にはリング状部分の一端に外向きの鍔２９ａを有したものが使用されている。この摩擦リング２９は、両リング挟み部１７ｇ、２２ｅ間に圧縮状態に弾性変形して挟まれている。摩擦リング２９は、予め胴側リング挟み部１７ｇに沿わせて支持されていてもよく、或いはパイプ側リング挟み部２２ｅに沿わせて挿入部２２に保持してもよい。したがって、リング挟み部１７ｇ、２２ｅの内の一方は、リング支持部として機能し、他方はリング受け部として機能するようになっている。更に、第４実施形態では第１実施形態で使用した防水パッキンを省略して部品点数が削減されている。以上説明した点以外は図６に示されない構成を含めて第１実施形態と同じである。
【００５７】
したがって、この第４実施形態の腕時計１０でも、竜頭３１の回転操作に伴い巻真パイプ２１が不用意に回転することを、巻真パイプ２１の挿入部２２とパイプ取付け孔１７との間に挟まれている摩擦リング２９で抑制し、この回転抑制のために巻真パイプ２１を胴１３に接着剤で接着する必要がない。このため、本発明が解決しようとする課題を解決できる。
【００５８】
しかも、巻真パイプ２１のねじ込みに伴って、両リング挟み部１７ｇ、２２ｅの段部１７ｄ、２２ｃで、巻真パイプ２１の軸方向に沿って摩擦リング２９の鍔２９ａを挟むことができる。このため、鍔２９ａの分だけ挿入部２２及びパイプ取付け孔１７に対する摩擦リング２９の接触面積が増えるので、巻真パイプ２１に対する回り止め性能を向上できるとともに、鍔２９ａ回りでも防水性能を向上することが可能である。このため、高い防水性を要求されない日常生活防水型の腕時計１０として好適に実施できる。
【００５９】
図７は本発明の第５実施形態を示している。この実施形態では、パイプ取付け孔１７が、胴内空間１１ｃに寄せて設けられた雌ねじ部１７ｂと、この雌ねじ部１７ｂの胴外面１３ｂ側に連続した環状の段部１７ｈと、この段部１７ｈに連続して胴外面１３ｂに開口された環状のリング収容部１７ｉとで形成されている。リング収容部１７ｉは雌ねじ部１７ｂの谷径より大きい。このリング収容部１７ｉには防水パッキンを兼ねる摩擦リング２９が収容されている。
【００６０】
挿入部２２の根元部外周はリング受け部２２ｄとして作られている。挿入部２２の第１雄ねじ部２５はリング受け部２２ｄより先端側部分の外周に形成されていて、この第１雄ねじ部２５はリング受け部２２ｄより小径である。パイプ取付け孔１７に巻真パイプ２１の挿入部２２をねじ込むことにより、その最終段階でパイプ端部２３の端面２３ａが摩擦リング２９を圧縮し弾性変形させるので、この摩擦リング２９の内周が挿入部２２のリング受け部２２ｄに弾性的に密接される。以上説明した点以外は図７に示されない構成を含めて第１実施形態と同じである。
【００６１】
したがって、この第５実施形態の腕時計１０でも、竜頭３１の回転操作に伴い巻真パイプ２１が不用意に回転することを、巻真パイプ２１の挿入部２２とパイプ取付け孔１７との間に挟まれている摩擦リング２９で抑制し、この回転抑制のために巻真パイプ２１を胴１３に接着剤で接着する必要がないので、本発明が解決しようとする課題を解決できる。しかも、摩擦リング２９で防水パッキンを兼ねているので、部品点数を削減できるとともに、高い防水性を要求されない日常生活防水型の腕時計１０として好適に実施できる。
【００６２】
なお、本発明は、腕時計の中でも高圧防水機能を有するダイバーズウォッチに適用可能であるとともに、これ以外に懐中時計等にも適用可能である。
【００６３】
【発明の効果】
本発明によれば、ねじロック構造により不用意に回転できないように設けられた竜頭を備える携帯時計において、胴のパイプ取付け孔とこの孔にねじ込まれた巻真パイプの挿入部との内の一方に設けたリング受け部に、他方に支持した摩擦リングを弾性的に密接させることにより、接着剤を用いて胴に巻真パイプを接着止めすることなく、竜頭操作等に伴う巻真パイプの不用意な回転を抑制したので、巻真パイプの胴に対する着脱を伴って巻真パイプ周りのメンテナンスが容易な携帯時計を提供できる。
【００６４】
リング受け部及び摩擦リングが、胴の雌ねじ部とこれに螺合する巻真パイプの第１雄ねじ部との螺合部よりも胴の胴内空間に寄って配置されている発明によれば、摩擦リングの劣化が抑制されるので、摩擦リングの耐久性を向上可能な携帯時計を提供できる。
【００６５】
摩擦リングがその内周を挿入部に設けた環状溝に嵌合して支持されているとともに、リング受け部がパイプ取付け孔に設けられている発明によれば、組立て易く、組立て時に摩擦リングの使用の有無を容易に目視確認することが可能な携帯時計を提供できる。
【００６６】
胴の雌ねじ部とこれに螺合する巻真パイプの第１雄ねじ部との螺合部よりも竜頭ヘッドに寄ってリング状の防水パッキンが設けられている発明によれば、摩擦リングの劣化が抑制されるので、摩擦リングの耐久性を向上可能な携帯時計を提供できる。
【００６７】
摩擦リングが一端に環状の鍔を有し、パイプ取付け孔に、環状段部及びこの段部に連なる小径孔部からなる胴側リング挟み部を設け、挿入部に、摩擦リングの鍔以外のリング状部分を前記小径孔部との間に挟む円形周壁及びこの周壁に連なり前記鍔を前記環状段部との間に挟む他の環状段部からなるパイプ側リング挟み部を設け、両リング挟み部間に摩擦リングが挟まれている発明によれば、巻真パイプの回り止め性能を向上可能であるとともに、摩擦リングの鍔回りでも防水性を得ることが可能な携帯時計を提供できる。
【００６８】
リング受け部及び摩擦リングが、胴の雌ねじ部と第１雄ねじ部との螺合部よりも竜頭ヘッドに寄って配置されて防水パッキンを兼ねている発明によれば、巻真パイプとパイプ取付け孔との間の防水をするための専用の防水パッキンを特別に要しない携帯時計を提供できる。
【図面の簡単な説明】
【図１】本発明の第１実施形態に係る携帯時計を示す正面図。
【図２】図１中Ｆ２−Ｆ２線に沿って巻真パイプ周りを示す断面図。
【図３】（Ａ）は図１の携帯時計が備える巻真パイプとこれに支持される摩擦リングとを分離した状態で示す斜視図。
（Ｂ）は図１の携帯時計が備える巻真パイプに摩擦リングを支持した状態を示す斜視図。
【図４】本発明の第２実施形態に係る携帯時計の巻真パイプ周りを示す断面図。
【図５】本発明の第３実施形態に係る携帯時計の巻真パイプ周りを示す断面図。
【図６】本発明の第４実施形態に係る携帯時計の巻真パイプ周りを示す断面図。
【図７】本発明の第５実施形態に係る携帯時計の巻真パイプ周りを示す断面図。
【符号の説明】
１０    …携帯時計
１１    …時計外装組立
１３    …胴
１３ａ  …胴内面
１３ｂ  …胴外面
１１ｃ  …胴内空間
１７    …パイプ取付け孔
１７ａ  …パイプ取付け孔のリング受け部
１７ｂ  …パイプ取付け孔の雌ねじ部
１７ｃ  …パイプ取付け孔のパッキン収容部
１７ｄ  …パイプ取付け孔の段部
１７ｅ  …パイプ取付け孔のリング取付け孔部
１７ｆ  …パイプ取付け孔の環状の段部
１７ｇ  …胴側リング挟み部
１７ｈ  …パイプ取付け孔の環状の段部
１７ｉ  …パイプ取付け孔のリング収容部
２１    …巻真パイプ
２２    …巻真パイプの挿入部
２２ａ  …リング受け部
２２ｂ  …円形周壁
２２ｃ  …挿入部の段部
２２ｄ  …パイプ側リング挟み部
２３    …巻真パイプのパイプ端部
２３ａ  …パイプ端部の端面
２４    …挿入部の環状溝
２５    …第１雄ねじ部
２６    …第２雄ねじ部
２９    …摩擦リング
２９ａ  …摩擦リングの鍔
３１    …竜頭
３２    …竜頭ヘッド
３５    …竜頭の雄ねじ部
【図１】
2005030765.tif 000003
【図２】
2005030765.tif 000004
【図３】
2005030765.tif 000005
【図４】
2005030765.tif 000006
【図５】
2005030765.tif 000007
【図６】
2005030765.tif 000008
【図７】
2005030765.tif 000009